(57)【要約】      （修正有）【課題】ベッドの床板の面積がソファーの座面の面積の２倍以上となるチェアベッドを提供する。【解決手段】チェアベッド１０は、チェア又はベッドとして使用されるチェアベッドであって、基部１２と、基部１２から引き出される第１の引き出し部２０と、基部１２から引き出される第２の引き出し部３０と、を備え、基部１２、第１の引き出し部２０、及び第２の引き出し部３０によって、ベッドが形成される。【選択図】図１
0003206089.tif 000002
【実用新案登録請求の範囲】
【請求項１】
チェア又はベッドとして使用されるチェアベッドであって、
基部と、
前記基部から引き出される第１の引き出し部と、
前記基部から引き出される第２の引き出し部と、を備え、
前記基部、前記第１の引き出し部、及び前記第２の引き出し部によって、前記ベッドが形成されるチェアベッド。
【請求項２】
請求項１記載のチェアベッドにおいて、
前記基部が、それぞれ前記第１の引き出し部が引き出される引き出し方向に延び間隔を空けて配置された複数の第１の支持部材を有し、
前記第１の引き出し部が、それぞれ前記引き出し方向に延び間隔を空けて前記複数の第１の支持部材と干渉しないように配置された複数の第２の支持部材を有し、
少なくとも前記複数の第１の支持部材及び前記複数の第２の支持部材によって、床板が形成されるチェアベッド。
【請求項３】
請求項２記載のチェアベッドにおいて、
前記第２の引き出し部が、
前記基部に載る座面となるクッションと、
前記クッションを支持するクッション支持部材と、
前記クッション支持部材の下面にそれぞれ間隔を空けて前記引き出し方向に延びて設けられた補強部材と、を有し、
前記補強部材が、前記複数の第１の支持部材及び前記第２の支持部材と干渉しないように配置されているチェアベッド。
【請求項４】
請求項２又は３記載のチェアベッドにおいて、
前記第１の支持部材及び前記第２の支持部材が角材であり、
前記第１の支持部材及び前記第２の支持部材の断面の高さ方向の寸法が、それぞれ幅方向の寸法よりも長いチェアベッド。
【請求項５】
請求項２記載のチェアベッドにおいて、
前記第１の支持部材に載せられる第１のクッションと、
前記第２の支持部材に載せられる第２のクッションと、を更に備え、
前記第２の引き出し部が、前記基部に載る座面となる第３のクッションを有し、
前記第１〜第３のクッションがマットレスとして機能するチェアベッド。
【請求項６】
請求項５記載のチェアベッドにおいて、
前記第１のクッション及び前記第２のクッションがそれぞれ折りたたまれ、前記チェアとして使用される際に、該チェアに座る使用者の側方及び後方に置かれるチェアベッド。
【請求項７】
請求項４記載のチェアベッドにおいて、
前記複数の第２の支持部材のうち、一部の上面の高さ位置のみが高く、該上面に前記クッション支持部材の下面が接触するチェアベッド。
【請求項８】
請求項７記載のチェアベッドにおいて、
前記第３のクッションの上方向への動きが制限されていないチェアベッド。
【考案の詳細な説明】
【技術分野】
【０００１】
本考案は、チェアベッドに関する。
【背景技術】
【０００２】
特許文献１には、病院や施設等で病人用ベッドの傍らに設置して利用する場合に特に好適となる簡易形のベッドが記載されている。このベッドは、上部に固定クッション要素を設けてなる中空体状の外ケースと、この外ケースの中空部に対して相対的に出し入れ自在な内ケースとを具備してなり、内ケースを、引出位置でその上部に外ケースの固定クッション要素に略面一に連続する可動クッション要素を配置してベッド面を形成し、挿入位置でその可動クッション要素を外ケースと干渉しない位置に撤去して外ケース側をベンチとして利用し得るようにしたベッドであって、外ケースを第１の支持部材を介して床上に移動し得ないように接地させ、内ケースを第２の支持部材を介して床上に移動し得るように接地させるとともに、内ケースを引出位置に保持する保持手段を設けたことを特徴とする。
【先行技術文献】
【特許文献】
【０００３】
【特許文献１】特開２００１−０８７０８１号公報
【考案の概要】
【考案が解決しようとする課題】
【０００４】
本考案は、ベッドの床板の面積がソファーの座面の面積の２倍以上となるチェアベッドを提供することを目的とする。
【課題を解決するための手段】
【０００５】
前記目的に沿う本考案に係るチェアベッドは、チェア又はベッドとして使用されるチェアベッドであって、
基部と、
前記基部から引き出される第１の引き出し部と、
前記基部から引き出される第２の引き出し部と、を備え、
前記基部、前記第１の引き出し部、及び前記第２の引き出し部によって、前記ベッドが形成される。
【０００６】
本考案に係るチェアベッドにおいて、
前記基部が、それぞれ前記第１の引き出し部が引き出される引き出し方向に延び間隔を空けて配置された複数の第１の支持部材を有し、
前記第１の引き出し部が、それぞれ前記引き出し方向に延び間隔を空けて前記複数の第１の支持部材と干渉しないように配置された複数の第２の支持部材を有し、
少なくとも前記複数の第１の支持部材及び前記複数の第２の支持部材によって、床板が形成されることが好ましい。
【０００７】
本考案に係るチェアベッドにおいて、
前記第２の引き出し部が、
前記基部に載る座面となるクッションと、
前記クッションを支持するクッション支持部材と、
前記クッション支持部材の下面にそれぞれ間隔を空けて前記引き出し方向に延びて設けられた補強部材と、を有し、
前記補強部材が、前記複数の第１の支持部材及び前記第２の支持部材と干渉しないように配置されていることが好ましい。
【０００８】
本考案に係るチェアベッドにおいて、
前記第１の支持部材及び前記第２の支持部材が角材であり、
前記第１の支持部材及び前記第２の支持部材の断面の高さ方向の寸法が、それぞれ幅方向の寸法よりも長いことが好ましい。
【０００９】
本考案に係るチェアベッドにおいて、
前記第１の支持部材に載せられる第１のクッションと、
前記第２の支持部材に載せられる第２のクッションと、を更に備え、
前記第２の引き出し部が、前記基部に載る座面となる第３のクッションを有し、
前記第１〜第３のクッションがマットレスとして機能してもよい。
【００１０】
本考案に係るチェアベッドにおいて、
前記第１のクッション及び前記第２のクッションがそれぞれ折りたたまれ、前記チェアとして使用される際に、該チェアに座る使用者の側方及び後方に置かれることが好ましい。
【００１１】
本考案に係るチェアベッドにおいて、
前記複数の第２の支持部材のうち、一部の上面の高さ位置のみが高く、該上面に前記クッション支持部材の下面が接触することが好ましい。
【００１２】
本考案に係るチェアベッドにおいて、
前記第３のクッションの上方向への動きが制限されていないことが好ましい。
【考案の効果】
【００１３】
本考案によれば、ベッドの床板の面積がソファーの座面の面積の２倍以上となるチェアベッドを提供できる。
【図面の簡単な説明】
【００１４】
【図１】（Ａ）、（Ｂ）は本考案の一実施の形態に係るチェアベッドの外観図であって、それぞれ、チェア及びベッドの状態を示す斜視図である。
【図２】同チェアベッドをチェアからベッドにする状態を示す斜視図である。
【図３】同チェアベッドをチェアからベッドにする状態を示す平面図である。
【図４】同チェアベッドをチェアからベッドにする状態を示す側面図である。
【考案を実施するための形態】
【００１５】
続いて、添付した図面を参照しつつ、本考案を具体化した実施の形態につき説明し、本考案の理解に供する。なお、図において、説明に関連しない部分は図示を省略する場合がある。
【００１６】
本考案の一実施の形態に係るチェアベッド１０は、図１（Ａ）及び図１（Ｂ）に示すように、変形することで座席（椅子、ソファー、及びベンチ）又はベッドとして使用できる家具である。一般にチェアベッドは、ソファーベッド又はハイダーベッドと呼ばれる場合もある。
チェアベッド１０は、基部１２、第１の引き出し部２０、第２の引き出し部３０、並びに第１の折りたたみクッション４０ａ及び第２の折りたたみクッション４０ｂを備えている。
チェアベッド１０は、基部１２、基部１２から引き出し方向Ａに引き出された第１の引き出し部２０、及び基部１２から引き出し方向Ａに引き出された第２の引き出し部３０によって、ベッドとなる。
【００１７】
なお、以下、第１の引き出し部２０及び第２の引き出し部３０を引き出す方向Ａを単に「方向Ａ」又は「Ａ方向」という場合がある。また、引き出された第１の引き出し部２０及び第２の引き出し部３０を基部１２へ戻す方向であって、方向Ａと反対の方向を「方向Ｂ」又は「Ｂ方向」という場合がある。
【００１８】
基部１２は、図２〜図４に示すように、複数の第１の支持部材１２２、一対の下部フレーム部材１２４、及び連結部材１２６を有している。
複数の第１の支持部材１２２は、ベッドの床板の一部となる。各第１の支持部材１２２は、Ａ方向に延び間隔を空けて配置されている。各第１の支持部材１２２は、Ａ方向と直交する方向に切断した断面が矩形状の角材である。この断面の高さ方向の寸法は、幅方向（Ａ方向と直交する水平方向）の寸法よりも長くなっている。
【００１９】
一対の下部フレーム部材（図４参照）１２４は、間隔を空けてＡ方向に延びている。
連結部材（図２及び図４参照）１２６は、Ａ方向と直交する方向に延び、下部フレーム部材１２４を互いに連結する。
各下部フレーム部材１２４及び連結部材１２６は、チェアベッド１０が設置される床面から例えば５〜１５ｍｍ浮いた高さ位置に設けられている。
【００２０】
第１の引き出し部２０は、基部１２に収容され、図２に示すように、基部１２から方向Ａに引き出される。第１の引き出し部２０は、複数の第２の支持部材２０２ａ、２０２ｂ、一対の第１のサイドフレーム部材２０４、及び第１のフレーム板２０６を有している。
【００２１】
複数の第２の支持部材２０２ａ及び一対の第２の支持部材２０２ｂは、第１の支持部材１２２とともにベッドの床板となる。各第２の支持部材２０２ａ、２０２ｂは、Ａ方向に延び、間隔を空けて配置されている。各第２の支持部材２０２ａ、２０２ｂは、Ａ方向と直交する方向に切断した断面が矩形状の角材である。この断面の高さ方向の寸法は、幅方向（Ａ方向と直交する水平方向）の寸法よりも長くなっている。
【００２２】
また、複数の第２の支持部材２０２ａ、２０２ｂは、それぞれ、第１の支持部材１２２と実質的に同じ高さ位置に配置され、第１の引き出し部２０が基部１２に収容される際に、各第１の支持部材１２２と干渉しないように配置されている。換言すると、チェアベッド１０がチェアとして使用される場合には、各第２の支持部材２０２ａ、２０２ｂが、隣接する第１の支持部材１２２の間に形成された隙間に収まるように配置される。
ただし、一対の第２の支持部材２０２ｂのみ、他の第２の支持部材２０２ａ及び第１の支持部材１２２よりも、例えば３〜１０ｍｍ上面の高さ位置が高くなっている。すなわち、一部の第２の支持部材２０２ｂのみ、他の第２の支持部材２０２ａよりも上方に僅かに突出して配置されている。
【００２３】
一対の第１のサイドフレーム部材２０４は、間隔を空けてＡ方向に延びている。各第１のサイドフレーム部材２０４は、基部１２の下部フレーム部材１２４（図４参照）の上に載り、第１の引き出し部２０が基部１２に収容される際に摺動できる。
第１のフレーム板２０６は、上下方向に延び、第１のサイドフレーム部材２０４の端部に固定されている。第１のフレーム板２０６の方向Ｂの側の面の下部には、キャスター２０８が設けられている。
【００２４】
第２の引き出し部３０は、クッション３０２、クッション支持部材３０４、一対の補強部材３０６、一対の第２のサイドフレーム部材３１０、連結部材３１２、及び第２のフレーム板３１４を有している。
第２の引き出し部３０は、チェアベッド１０がチェアとして使用される場合には、クッション３０２、クッション支持部材３０４、及び一対の補強部材３０６を除く部分が基部１２の内部に収容され、クッション３０２及びクッション支持部材３０４が基部１２の第１の支持部材１２２の上に載る。
一方、第２の引き出し部３０は、チェアベッド１０がベッドとして使用される場合には、基部１２から引き出される。
【００２５】
クッション（第３のクッションの一例）３０２は、チェアベッド１０がチェアとして使用される場合は、座面として機能し、ベッドとして使用される場合には、マットレスとして機能する。
クッション支持部材３０４は、図３及び図４に示すように、クッション３０２の下面に設けられた板であり、クッション３０２を補強できる。クッション支持部材３０４の方向Ｂの側の下端部は、第２の支持部材２０２ｂ（図２及び図３参照）の方向Ａの側の端部の上に載っている。
【００２６】
一対の補強部材３０６は、クッション支持部材３０４の下面にそれぞれ間隔を空けて、Ａ方向に延びて設けられている。各補強部材３０６は、チェアベッド１０がチェアとして使用される場合に、複数の第１の支持部材１２２及び第２の支持部材２０２ａ、２０２ｂと干渉しないように配置されている。換言すると、チェアベッド１０がチェアとして使用される場合には、各補強部材３０６が、隣接する第２の支持部材２０２ａ、２０２ｂの間に形成された隙間に収まるように配置されることに加え、第２の支持部材２０２ｂとともに隣接する第１の支持部材１２２の間に形成された隙間Ｇ（図３参照）に収まるように配置されている。
【００２７】
クッション３０２、クッション支持部材３０４、及び補強部材３０６は、図４に示すように、方向Ａと直交する方向に延び第２の引き出し部３０の方向Ａの側に設けられた水平軸ＡＸ１回りに回転できる。従って、クッション支持部材３０４の方向Ｂの側の端部は、図４の矢印で示すように、下側にある第２の支持部材２０２ｂから浮き上がることができ、上方向の動きが制限されていない。
【００２８】
一対の第２のサイドフレーム部材３１０は、間隔を空けてＡ方向に延びている。各第２のサイドフレーム部材３１０には、補助キャスター３２０が設けられている。この補助キャスター３２０は、基部１２が有する連結部材１２６と実質的に同じ高さ位置にあり、チェアベッド１０がチェアとして使用される状態においては、連結部材１２６よりも方向Ｂの側に位置している。従って、チェアベッド１０がチェアの状態において、第２の引き出し部３０を単にＡ方向に引っ張っただけでは、補助キャスター３２０は連結部材１２６の方向Ｂの側の面に接触する。すなわち、チェアベッド１０がチェアとして使用される状態においては、補助キャスター３２０が連結部材１２６に接触することによってストッパーとして機能し、第２の引き出し部３０が簡単に引き出されてしまうことが抑制される。
【００２９】
連結部材３１２は、第１の引き出し部２０が有する第１のフレーム板２０６よりも方向Ｂの側かつ第１のサイドフレーム２０４よりも高い位置にて、Ａ方向と直交する方向に延びている。連結部材３１２は、各第２のサイドフレーム部材３１０の方向Ｂの側の上端部内側を互いに連結できる。
【００３０】
第２のフレーム板３１４は、上下方向に延び、第２のサイドフレーム部材３１０の方向Ａの側の端部が固定される。第２のフレーム板３１４の方向Ｂの側の面の下部には、キャスター３２２が設けられている。
なお、第２の引き出し部３０には、第２の引き出し部３０を引き出すための把手３２４が設けられている。
【００３１】
第１の折りたたみクッション（第１のクッションの一例）４０ａ及び第２の折りたたみクッション（第２のクッションの一例）４０ｂは、それぞれ、直方体状であり、中央部で折りたたむことができる。
チェアベッド１０がチェアとして使用される場合には、図１（Ａ）に示すように、第１の折りたたみクッション４０ａ及び第２の折りたたみクッション４０ｂは、それぞれ折りたたまれた状態で座面となるクッション３０２の上に置かれる。詳細には、第１の折りたたみクッション４０ａは着席した使用者の側方に、第２の折りたたみクッション４０ｂは着席した使用者の後側に置かれる。
【００３２】
チェアベッド１０がベッドとして使用される場合には、第１の折りたたみクッション４０ａ及び第２の折りたたみクッション４０ｂは、それぞれ広げられた状態で第１の支持部材１２２及び第２の支持部材２０２ａ、２０２ｂの上に載せられ、第２の引き出し部３０が有するクッション３０２とともに、ベッドのマットレスとして機能する。
【００３３】
次に、チェアベッド１０をチェアからベッドにする際の手順について説明する。
まず、使用者は、図１（Ａ）に示すチェアの状態にあるチェアベッド１０から、第１の折りたたみクッション４０ａ及び第２の折りたたみクッション４０ｂを移動させる。
【００３４】
次に、使用者が、第２の引き出し部３０に設けられた把手３２４を持って方向Ａかつ上方に引っ張ると、第２の引き出し部３０の補助キャスター３２０がＡ方向と直交する水平方向に延びる連結部材１２６（図４参照）を乗り越えて、連結部材１２６の方向Ｂの側から方向Ａの側へと移動する。
【００３５】
次に、使用者が、把手３２４を更にＡ方向に引っ張ると、キャスター３２２が床面を転がることで第２の引き出し部３０が移動する。その際、クッション３０２の裏面に設けられたクッション支持部材３０４が、第２の支持部材２０２ａよりも高い位置にある第２の支持部材２０２ｂの上を摺動する。ただし、クッション支持部材３０４は、前述の通り、クッション支持部材３０４が設けられたクッション３０２とともに水平軸ＡＸ１回りに回転でき、上方向の動きが拘束されていないので、第２の支持部材２０２ｂとの間で大きな摩擦抵抗が発生することが抑えられる。
【００３６】
使用者が把手３２４を引っ張り続けると、図４に示す連結部材３１２が第１のフレーム板２０６の方向Ｂの側の面に接触し、第１のフレーム板２０６を介して第１の引き出し部２０が基部１２から引き出される。すなわち、第２の引き出し部３０によって、第１の引き出し部が基部１２から引き出される。その結果、少なくとも第１の支持部材１２２及び第２の支持部材２０２ａ、２０２ｂによって、床板が形成される。
【００３７】
最後に、使用者が、第１の折りたたみクッション４０ａ及び第２の折りたたみクッション４０ｂを広げ、それぞれ第１の支持部材１２２及び第２の支持部材２０２ａ、２０２ｂの上に載せることで、マットレスが設けられたベッドが形成される。
なお、第２の支持部材２０２ｂの上面の高さ位置が、第２の支持部材２０２ａの上面よりも高くなっているが、第２の支持部材２０２ｂの上に載せられた第２の折りたたみクッション４０ｂの下面が変形してこの高さの違いを吸収するので、使用者がベッドを使用する上で違和感を覚える可能性は低減される。
【００３８】
このように、本実施の形態に係るチェアベッド１０によれば、第１の引き出し部２０から第２の引き出し部３０が引き出され、更に基部１２から第１の引き出し部２０が引き出されるので、ベッドの床板の面積（使用者が寝る部分の面積）がソファーの座面の面積（使用者が座る部分の面積）の２倍以上となる。
【００３９】
以上、本考案の実施の形態を説明したが、本考案は、上記した形態に限定されるものでなく、要旨を逸脱しない条件の変更等は全て本考案の適用範囲である。
【符号の説明】
【００４０】
１０  チェアベッド
１２  基部
２０  第１の引き出し部
３０  第２の引き出し部
４０ａ  第１の折りたたみクッション
４０ｂ  第２の折りたたみクッション
１２２  第１の支持部材
１２４  下部フレーム部材
１２６  連結部材
２０２ａ、２０２ｂ  第２の支持部材
２０４  第１のサイドフレーム部材
２０６  第１のフレーム板
２０８  キャスター
３０２  クッション
３０４  クッション支持部材
３０６  補強部材
３１０  第２のサイドフレーム部材
３１２  連結部材
３１４  第２のフレーム板
３２０  補助キャスター
３２２  キャスター
３２４  把手
ＡＸ１  水平軸
【図１】
0003206089.tif 000003
【図２】
0003206089.tif 000004
【図３】
0003206089.tif 000005
【図４】
0003206089.tif 000006